(57)【特許請求の範囲】
【請求項１】
アウトソール（１１）の爪先部を立ち上げてトウガード（１５）を設けるとともに、シューズ本体（１０）の爪先部に前記トウガード（１５）を包んで保護カバー（２０）を設けたスポーツシューズにおいて、
上記保護カバー（２０）は、上記トウガード（１５）を含んで上記シューズ本体（１０）の爪先部を包む椀状カバー本体（２１）と、そのカバー本体（２１）の下縁に設けた内側に向く鍔状取付片（２２）とからなり、前記カバー本体（２１）の内面に前記トウガード（１５）が嵌る凹部（２３）を形成したことを特徴とするスポーツシューズ。
【請求項２】
上記凹部（２３）の開口縁形状と上記トウガード（１５）の外縁形状が同一とされて、その凹部（２３）にトウガード（１５）がピッタリ嵌ることを特徴とする請求項１に記載のスポーツシューズ。
【発明の詳細な説明】
【技術分野】
【０００１】
この発明は、アウトソールの爪先部を立ち上げてトウガードを設けるとともに、シューズ本体爪先部にそのトウガードを包んで保護カバーを設けたスポーツシューズに関するものである。
【背景技術】
【０００２】
通常、スポーツシューズは、その着用した運動により、その甲被爪先部が地面や床に接触してすり減って穴が開く場合が多い。このため、アウトソールの爪先部を立ち上げてトウガードを設け、このトウガードによってその甲被爪先部が地面や床に直接接触することを防止している（特許文献１  段落０００２、図１０）。
また、野球靴等のように、甲被爪先部の先端縁のみならず、その上側面まで地面や床に接触するシューズにおいては、そのトウガードを包んで甲被爪先部全域（シューズ本体爪先部）を覆う保護カバー、所謂、Ｐ皮を設けたものがある（特許文献２  段落０００３  図７）。
【０００３】
その保護カバーは、甲被の爪先部上面を覆う椀状をしたカバー本体とそのカバー本体の下縁内側に向く馬蹄と言われる鍔状取付片とからなる（特許文献２  図２）。そのカバー本体を甲被爪先部に被せて取付片をシューズ底をなすアウトソール底面に接着したり、取付片をアウトソールに釘によって固定したりしている（特許文献２  段落０００３）。その釘打ち固定の場合、釘先をつぶして（横に曲げて）釘を抜けにくくしている（本願４参照）。
【先行技術文献】
【特許文献】
【０００４】
【特許文献１】特開２００２−３４６０８号公報
【特許文献２】特開２００３−３８２０９号公報
【発明の概要】
【発明が解決しようとする課題】
【０００５】
上記のトウガードを設け、さらに、そのトウガードを包んでシューズ本体爪先部に保護カバーを設けたスポーツシューズは、トウガードが甲被爪先部から突出しているため、保護カバーがその突出分浮き上がって甲被の表面にフィットしない。このため、シューズの着用者が保護カバーのシューズへのフィットが得られず、違和感が生じることがある。特に、野球におけるピッチャーにおいて、軸足のシューズに保護カバーを装着した場合、その軸足に違和感が生じることは、投球動作に支障をきたす。
【０００６】
また、保護カバーがトウガードの突出分浮き上がることは、その保護カバーの取付片もアウトソール底面から外側に飛び出すこととなって、その取付片とアウトソール底面の接触面積が減少して接着強度が低下したり、釘打スペースが減少したりする。釘打スペースが減少すれば、釘を斜めに打たなければならない等、釘を上手く打つことが出来ない等の不都合が生じる。釘を上手く打てないと、釘先がアウトソール（中材）を貫通してその上面に突出しない場合が生じる。釘先が突出しないと、その釘先をつぶすことができないから、充分な締結力を得ることができず、シューズの着用中に釘が抜けたりする。
【０００７】
このとき、取付片（馬蹄）の幅を大きくすれば良いが、その幅を大きくすると、その取付片の縁がアウトソール底面のグリップ力を上げるための突起（スパイク爪、図２の符号：１６参照）にあたって浮き上がり、保護カバーも浮き上がってシューズ本体爪先部にフィットしないという現象が生じる。また、シューズの各サイズ及び何種類もある前記突起の形状に合わせて保護カバーを作成するには、製造コスト面で極めて無理があり、数サイズのシューズに一つの保護カバーで対応しているため、取付片の幅を必要以上に大きくすることはできない。
【０００８】
この発明は、以上の実情の下、トウガードを包んで保護カバーを設けたスポーツシューズにおいて、その保護カバーと甲被のフィット感を高めることを課題とする。
【課題を解決するための手段】
【０００９】
上記課題を達成するために、この発明は、保護カバーの内面にトウガードが嵌る凹部を形成したのである。
このように、保護カバー内面内にトウガードを納めれば、保護カバーの内側全面が甲被の爪先部表面に接触（フィット）するようにすることができる。
【００１０】
具体的には、この発明は、アウトソールの爪先部を立ち上げてトウガードを設けるとともに、そのトウガードを包んでシューズ本体爪先部に保護カバーを設けたスポーツシューズにおいて、前記保護カバーは、トウガードを含んでシューズ本体の爪先部を包む椀状カバー本体と、そのカバー本体の下縁に設けた内側に向く鍔状取付片とからなり、前記カバー本体の内面に前記トウガードが嵌る凹部を形成した構成としたのである。
この構成において、凹部の開口縁形状とトウガードの外縁形状を同一として、その凹部にトウガードがピッタリ嵌るようにすれば、そのフィット感もさらに向上する。
【発明の効果】
【００１１】
この発明は、以上のように、保護カバーの内面にトウガードが嵌る凹部を形成したので、保護カバーの内面を甲被の爪先部表面にフィットさせることができる。このフィット感は、このスポーツシューズの着用時の違和感を生じさせない。このため、例えば、野球ピッチャーは、そのフィット感がないことによる投球動作に支障をきたすことがなくなる。
また、設計時の保護カバー取付片とアウトソール底面の接触面積を確保できて、釘をしっかり打つことができる。すなわち、釘先をアウトソール（中材）を貫通してその上面に確実に突出させて、その釘先を確実につぶすことができる。このため、シューズ着用中に釘が抜けて、保護カバーが外れる等の恐れは少ない。
【図面の簡単な説明】
【００１２】
【図１】この発明に係るスポーズシューズの一実施形態の要部斜視図
【図２】同実施形態の要部底面図
【図３】同実施形態の要部切断正面図
【図４】同実施形態の要部切断右側面図
【図５】同実施形態の保護カバーの正面斜視図
【図６】同実施形態の保護カバーの裏面斜視図
【図７】同保護カバーの取付説明用斜視図
【発明を実施するための形態】
【００１３】
この発明に係わる野球靴の一実施形態を図１〜図７に示し、この実施形態の野球靴は、そのシューズ本体１０が、靴底を構成するアウトソール１１と、そのアウトソール１１の上面に設けた中材１２と、その中材１２の上に設けたインソール１３と、アウトソール１１の周全縁にその下縁が固定された甲被１４とからなる。
アウトソール１１はその周縁が甲被１４の下縁周縁表面より外側に突出している（突出側縁１１ａ）とともに、先端が上方に（アウトソール１１の底面に対して略垂直方向に）立ち上がってトウガード１５となって、底面には適宜形状のスパイク爪１６が適宜位置に設けられている。
【００１４】
そのトウガード１５の大きさ（形状）は、投手等の使用する者等によって適宜に決定すれば良い。例えば、投手が使用する野球靴のサイズ規格は、１９．０ｃｍから３０．０ｃｍまであり、サイズ規格：１９．０ｃｍの場合、トウガード１５の大きさは、シューズ本体爪先部中央部を中心に（図２の靴幅の中央上下方向において）靴底からの高さ：１０ｍｍ〜３０ｍｍ、左右最大幅：１２０ｍｍ（一方幅：６０ｍｍ）、同３０．０ｃｍの場合、トウガード１５の大きさは、シューズ本体爪先部中央部を中心に靴底からの高さ：１５ｍｍ〜３５ｍｍ、左右最大幅：１８０ｍｍ（一方幅：９０ｍｍ）位が最もシューズ本体爪先部の保護に効果的という実験結果を得た。
【００１５】
シューズ本体１０の爪先部にはその上面を覆う保護カバー２０が設けられている。この保護カバー２０は、合成樹脂、合成皮革（人工皮革）、天然皮革、又はその合成樹脂と合成皮革や合成樹脂と天然皮革を積層して一体化した皮革等からなって、甲被１４の爪先部上面を覆う椀状をしたカバー本体２１と、そのカバー本体２１の下縁内側に向く馬蹄と言われる鍔状取付片２２とからなる（図５、図６参照）。
【００１６】
そのカバー本体２１の内面には、図５、図６に示すようにトウガード１５が嵌る凹部２３と横方向全長に亘るアウトソール１１の突出側縁１１ａが嵌る溝２３ａが形成されている。この凹部２３の開口縁形状（図６において、溝２３ａを除く鎖線上方凹部）はトウガード１５の外縁形状と同一になっているとともに、溝２３ａの開口縁形状（図６において、鎖線下方凹部）はアウトソール突出側縁１１ａの上下縁形状と同一となっており、図３に示すように、トウガード１５全体及びアウトソール突出側縁１１ａが凹部２３及び溝２３ａにピッタリ嵌る。このため、図７から図１に示すように、この保護カバー２０をシューズ本体１０の爪先部に嵌めると（被せると）、トウガード１５及びアウトソール突出側縁１１ａが凹部２３及び溝２３ａにピッタリ嵌り、保護カバー２０の内面が甲被１４表面にぴったり沿う。このピッタリ嵌ることによって、保護カバー２０が担うシューズ本体１０の爪先部は、トウガード１５と保護カバー２０が一体となったものとなる。
【００１７】
なお、このように、保護カバー２０の凹部２３（溝２３ａ）にトウガード１５（アウトソール突出側縁１１ａ）がピッタリ嵌らなくても、トウガード１５に対し保護カバー２０が動かない程度において、トウガード１５に対して凹部２３を大きくすることができる。例えば、凹部２３の上下方向の幅は同一にし、同左右方向の幅を変える等と任意である。また、溝２３ａにアウトソール突出側縁１１ａがピッタリ嵌れば、上下方向の動きは規制されるため、トウガード１５の左右縁及び上縁は凹部２３と隙間があっても動くことはなくなる。このように、凹部２３がその上下又は左右においてトウガード１５に対して隙間を有すれば、その隙間分、凹部２３に異なる大きさのトウガード１５を嵌めることができ、一の保護カバー２０でもって、サイズの異なるシューズ本体１０に対応でき得ることとなる。
また、アウトソール突出側縁１１ａが無い場合は、溝２３ａを形成せず、図６の鎖線上部のみの凹部２３とする。いずれにしても、保護カバー２０の内面に位置するトウガード１５等の突起物をその内面の凹部２３（溝２３ａ）に嵌めて、保護カバー２０がシューズ本体１０表面にピッタリ沿うようにする。
【００１８】
この保護カバー２０を、図７の鎖線で示すように被せた状態で、保護カバー取付片２２を釘打して、図１に示すように、靴紐１７を保護カバー２０の舌片部の鳩目２４に通して適宜の強さに締付ける。
その釘打ちのとき、トウガード１５が凹部２３にぴったり嵌って、保護カバー２０の内面が甲被１４表面にぴったり沿っているため、取付片２２とアウトソール１１の接触面積を設計通りに得ることができる。また、その釘打ちは、図３、図４に示すように留め釘２５をアウトソール１１に対して真っ直ぐに打つことができるため、釘２５を中材１２まで貫通させて釘２５の先端潰しも確実に行うことができ、釘２５による保護カバー２０の充分な強度をもった取付けを行うことができる。
【００１９】
上記トウガード１５はアウトソール１１の一部を連続して立ち上げて形成したが、特許文献１のように、アウトソール１１とは別物でも良いことは勿論である。また、従来と同様に、数サイズ規格のシューズや大きさ・形状の異なるトウガード１５に一つの保護カバー２０で対応させ得ることも勿論である。このとき、保護カバーの取付片２２がスパイク爪１６に緩衝せず、かつ、トウガード１５と凹部２３の嵌り合いが保護カバー２０としての機能に支障がない限りにおいて、例えば、上記の凹部２３の上下方向の幅は同一にし、同左右方向の幅を変える等と保護カバー２０の大きさ・形状及び凹部２３の大きさ・形状を適宜に設定する。
さらに、保護カバー２０のアウトソール１１への固定は、釘打ちに限らず、接着などの適宜な手段を採用できる。
【００２０】
上記の実施形態は、野球靴の場合であったが、アウトソール１１がトウガード１５を有し、かつ保護カバー２０を有するスポーツシューズ、例えば、バレーシューズ、テニスシューズ等においてもこの発明は採用し得ることは勿論である。
【符号の説明】
【００２１】
１０  シューズ本体
１１  アウトソール
１２  中材
１３  インナソール
１４  甲被
１５  トウガード
１６  スパイク爪
１７  靴紐
２０  保護カバー
２１  保護カバー本体
２２  保護カバーの取付片
２３  トウガードが嵌る凹部
２５  留め釘
【図１】
0005477848.tif 000002
【図２】
0005477848.tif 000003
【図３】
0005477848.tif 000004
【図４】
0005477848.tif 000005
【図５】
0005477848.tif 000006
【図６】
0005477848.tif 000007
【図７】
0005477848.tif 000008